(57)【要約】【課題】投稿者及び記事を投稿しない雑誌の読者が積極的に参加でき、投稿者及び読者の増加を期待できるとともに、運営を効率良く行える雑誌利用システムを提供する。【解決手段】投稿記事と二次元コードが記載された雑誌１０と、雑誌の読者が使用し二次元コードを読み取ってサーバ装置２０にアクセス可能な読者端末機３０と、投稿者データ記憶部と、読者データ記憶部と、読者端末機３０からアクセスされた投稿者データの投稿者に投票処理する投票処理手段と、投稿者のランキング形成手段と、ランキングが上位の投稿者及びそれらの投稿者に投票した読者に賞品の授与を決定する賞品授与手段と、を備えたサーバ装置２０と、を含む雑誌利用システム１から構成される。【選択図】図１
2012146273.tif 000002
【特許請求の範囲】
【請求項１】
投稿者による投稿記事が掲載された雑誌と、雑誌の読者が使用する読者端末機と、雑誌の投稿者及び投稿記事に関する投稿者データが記録されたサーバ装置と、を含む雑誌利用システムであり、
雑誌には、投稿記事ごとにサーバ装置に記録された投稿者データにアクセスするための二次元コードが記載され、
読者端末機は、雑誌に記載された二次元コードを読み取ってサーバ装置の投稿者データにアクセスしその投稿者データを表示可能であり、
サーバ装置は、投稿者及び投稿記事に関する投稿者データを記録する投稿者データ記録部と、
読者に関する読者データを記録する読者データ記録部と、
二次元コードを読み取った読者端末機が投稿者データにアクセスした際に該投稿者データの投稿者への投票処理を行い、それぞれの投稿者の投票数をカウントして投稿者データ記録部に記録するとともに、読者端末機を使用する読者ごとに投票した投稿者を読者データ記録部に記録する投票処理手段と、
投票処理手段でカウントされた投票数による投稿者のランキングを作成するランキング処理手段と、
ランキング処理手段により作成されたランキングに基づいて該ランキングが上位の投稿者を選んで賞品の授与を決定するとともに、読者データ記録部から該ランキングが上位の投稿者に投票した読者を選び抽選して賞品を授与する読者を決定し、それらの決定された賞品授与用データを管理する賞品授与手段と、を備えたことを特徴とする雑誌利用システム。
【請求項２】
サーバ装置の投稿者データ記録部には、それぞれの投稿者に対応して店舗の識別データが記録されており、
サーバ装置は、広告主となる店舗とその店舗の広告に関する店舗データを記録する店舗データ記録部と、
二次元コードを読み取った読者端末機が投稿者データにアクセスした際に、その投稿者データに対応する店舗の識別データに基づく店舗の広告を読者端末機に表示させる広告表示手段と、
店舗に対応する投稿者のランキング又は投票数に基づいて店舗ごとに広告料金用データを処理する広告料金処理手段と、を有することを特徴とする請求項１記載の雑誌利用システム。
【請求項３】
雑誌利用システムは、さらに、店舗が使用しサーバ装置と通信可能な店舗端末機を含み、
サーバ装置の広告料金処理部は、広告料金用データを店舗端末機に送信することを特徴とする請求項２記載の雑誌利用システム。
【請求項４】
雑誌利用システムは、さらに、投稿者が使用しサーバ装置に投稿者データを送信するための投稿者端末機を含むことを特徴とする請求項１ないし３のいずれかに記載の雑誌利用システム。
【発明の詳細な説明】
【技術分野】
【０００１】  本発明は、フリーペーパ等の雑誌の読者が参加して雑誌の利用価値を向上できる雑誌利用システムに関する。
【背景技術】
【０００２】  誌面に広告以外に飲食店、娯楽、観光、求人、その他生活や地域の情報等の様々な記事が掲載されたフリーペーパやフリーマガジン等の雑誌が、駅、街角、コンビニエンスストアやスーパーの店頭等で無料で配布されている。フリーペーパ等の雑誌は、例えば、特定の地域や読者層をターゲットとして配布が可能である等、従来の新聞広告や折り込みチラシと比較して柔軟に対応した高い広告効率が期待できることから広告媒体及び情報伝達媒体として注目されている。また、近時では、商品の割引用のクーポンとして紙製のものに替えて電子クーポンが広く利用されている。例えば、特許文献１では、広告媒体にバーコード等のコードを印刷しておき、消費者が携帯電話等を用いてコードを読み取って電子クーポン発行センターにアクセスし、電子クーポンを受領して店で使用することができるシステムが開示されている。
【先行技術文献】
【特許文献】
【０００３】
【特許文献１】特開２００２−３６６８１９号公報
【発明の概要】
【発明が解決しようとする課題】
【０００４】  通常、定期的又は不定期的に発行される雑誌を作成する際には、掲載する記事の写真や文章の作成等に人手、労力、時間及び費用がかかる。雑誌の発行者は読者数を獲得するために読者の関心が高い記事で誌面内容の充実化を図りたい一方で、特にフリーペーパのように無料で配布する雑誌の場合にはできるだけ雑誌の発行にかかるコストを抑えたい要望が高かった。また、近時では特許文献１のような電子クーポンの獲得だけでは雑誌の読者に対して強く興味を引くことが困難となりつつあり、読者数を増やすための新しい付加価値が求められていた。さらに、雑誌の発行には広告主からの広告料の収入も大事な要素の一つであるが、広告主にとって広告効率の向上等の広告方法の改善も重要であった。【０００５】  本発明は上記従来の課題に鑑みてなされたものであり、その一つの目的は、投稿者及び記事を投稿しない雑誌の読者が良好に参加でき、雑誌の利用価値を付加して投稿者及び雑誌の読者の増加を期待できるとともに、システム運営を簡便に行える雑誌利用システムを提供することにある。
【課題を解決するための手段】
【０００６】  上記課題を解決するために本発明は、投稿者による投稿記事が掲載された雑誌１０と、雑誌の読者が使用する読者端末機３０と、雑誌の投稿者及び投稿記事に関する投稿者データが記録されたサーバ装置２０と、を含む雑誌利用システム１であり、雑誌１０には、投稿記事ごとにサーバ装置２０に記録された投稿者データにアクセスするための二次元コード１３が記載され、読者端末機３０は、雑誌１０に記載された二次元コード１３を読み取ってサーバ装置２０の投稿者データにアクセスしその投稿者データを表示可能であり、サーバ装置２０は、投稿者及び投稿記事に関する投稿者データを記録する投稿者データ記録部２２と、読者に関する読者データを記録する読者データ記録部２３と、二次元コード１３を読み取った読者端末機３０が投稿者データにアクセスした際に該投稿者データの投稿者への投票処理を行い、それぞれの投稿者の投票数をカウントして投稿者データ記録部２２に記録するとともに、読者端末機３０を使用する読者ごとに投票した投稿者を読者データ記録部に記録する投票処理手段２５と、投票処理手段２５でカウントされた投票数による投稿者のランキングを作成するランキング処理手段２７と、ランキング処理手段２７により作成されたランキングに基づいて該ランキングが上位の投稿者を選んで賞品の授与を決定するとともに、読者データ記録部２３から該ランキングが上位の投稿者に投票した読者を選び抽選して賞品を授与する読者を決定し、それらの決定された賞品授与用データを管理する賞品授与手段２８と、を備えたことを特徴とする雑誌利用システム１から構成される。【０００７】  また、サーバ装置２０の投稿者データ記録部２２には、それぞれの投稿者に対応して店舗の識別データが記録されており、サーバ装置２０は、広告主となる店舗とその店舗の広告に関する店舗データを記録する店舗データ記録部２４と、二次元コードを読み取った読者端末機３０が投稿者データにアクセスした際に、その投稿者データに対応する店舗の識別データに基づく店舗の広告を読者端末機３０に表示させる広告表示手段２６と、店舗に対応する投稿者のランキング又は投票数に基づいて店舗ごとに広告料金用データを処理する広告料金処理手段２９と、を有することとしてもよい。【０００８】  また、雑誌利用システム１は、さらに、店舗が使用しサーバ装置２０と通信可能な店舗端末機３０を含み、サーバ装置２０の広告料金処理部２９は、広告料金用データを店舗端末機５０に送信することとしてもよい。【０００９】  また、雑誌利用システム１は、さらに、投稿者が使用しサーバ装置２０に投稿者データを送信するための投稿者端末機４０を含むこととしてもよい。
【発明の効果】
【００１０】  本発明の雑誌利用システムによれば、投稿者による投稿記事が掲載された雑誌と、雑誌の読者が使用する読者端末機と、雑誌の投稿者及び投稿記事に関する投稿者データが記録されたサーバ装置と、を含む雑誌利用システムであり、雑誌には、投稿記事ごとにサーバ装置に記録された投稿者データにアクセスするための二次元コードが記載され、読者端末機は、雑誌に記載された二次元コードを読み取ってサーバ装置の投稿者データにアクセスしその投稿者データを表示可能であり、サーバ装置は、投稿者及び投稿記事に関する投稿者データを記録する投稿者データ記録部と、読者に関する読者データを記録する読者データ記録部と、二次元コードを読み取った読者端末機が投稿者データにアクセスした際に該投稿者データの投稿者への投票処理を行い、それぞれの投稿者の投票数をカウントして投稿者データ記録部に記録するとともに、読者端末機を使用する読者ごとに投票した投稿者を読者データ記録部に記録する投票処理手段と、投票処理手段でカウントされた投票数による投稿者のランキングを作成するランキング処理手段と、ランキング処理手段により作成されたランキングに基づいて該ランキングが上位の投稿者を選んで賞品の授与を決定するとともに、読者データ記録部から該ランキングが上位の投稿者に投票した読者を選び抽選して賞品を授与する読者を決定し、それらの決定された賞品授与用データを管理する賞品授与手段と、を備えた構成とすることにより、投稿者の投稿記事を利用して低コストで雑誌を作成、発行できるとともに、投稿者のみならず記事を投稿しない通常の読者もランキングに参加して賞品の獲得を目指すことができる。同時に、運用、管理を含むシステム運営をスムーズに行える。さらに、賞品により投稿者や読者の関心を高めて投稿者の投稿の増加による誌面の充実化や読者数の増加を期待でき、雑誌発行部数の増加や広告効率の向上を期待できる。また、投稿者のランキングによって効率良く読者の好み等を把握することができ、雑誌運営や広告戦略の指標として有効に収集したデータを利用できる。【００１１】  また、サーバ装置の投稿者データ記録部には、それぞれの投稿者に対応して店舗の識別データが記録されており、サーバ装置は、広告主となる店舗とその店舗の広告に関する店舗データを記録する店舗データ記録部と、二次元コードを読み取った読者端末機が投稿者データにアクセスした際に、その投稿者データに対応する店舗の識別データに基づく店舗の広告を読者端末機に表示させる広告表示手段と、店舗に対応する投稿者のランキング又は投票数に基づいて店舗ごとに広告料金用データを処理する広告料金処理手段と、を有する構成とすることにより、雑誌での広告に加えてシステムを利用して読者に対して効率良い広告効果を期待できる。また、例えば、雑誌の投稿者のランキングと雑誌の広告主である店舗の広告料を連係させて広告料の割引率等を算出することで、店舗等にとっても広告コストの低減を期待できる。【００１２】  また、雑誌利用システムは、さらに、店舗が使用しサーバ装置と通信可能な店舗端末機を含み、サーバ装置の広告料金処理部は、広告料金用データを店舗端末機に送信する構成とすることで、雑誌の広告主である店舗が利用しやすいシステムを実現できる。【００１３】  また、雑誌利用システムは、さらに、投稿者が使用しサーバ装置に投稿者データを送信するための投稿者端末機を含む構成とすることにより、投稿者が利用しやすいシステムを実現できるとともに、システム運用を低コストで行える。また、サーバ装置に送信された投稿者データを利用して雑誌を作成することで、雑誌の作製、発行コストを低減しうる。
【図面の簡単な説明】
【００１４】
【図１】本発明の一実施形態に係る雑誌利用システムの概略図である。
【図２】図１の雑誌利用システムの雑誌の一例の説明図である。
【図３】図１の雑誌利用システムのサーバ装置の概略ブロック図である。
【図４】図１の雑誌利用システムの投稿者データ記憶部に記憶された投稿者データの一例の説明図である。
【図５】図１の雑誌利用システムの読者データ記憶部に記憶された読者データの一例の説明図である。
【図６】図１の雑誌利用システムの店舗データ記憶部に記憶された店舗データの一例の説明図である。
【図７】図１の雑誌利用システムの読者端末機の概略ブロック図である。
【図８】図１の雑誌利用システムのフローチャートである。
【発明を実施するための形態】
【００１５】  以下添付図面を参照しつつ本発明の雑誌利用システムの実施の形態について説明する。本発明に係る雑誌利用システムは、例えば、投稿者が投稿した写真やプロフィール等の投稿内容を元に形成される投稿記事が記載された雑誌と、雑誌の読者が使用する複数の読者端末機と、読者端末機と通信を行えるサーバ装置と、によりネットワークシステムを構築したものである。図１ないし図８は、本発明の雑誌利用システムの一実施形態を示している。本実施形態において、雑誌利用システム１０は、図１に示すように、雑誌発行者から発行される雑誌１０と、投稿者データが記録されたサーバ装置２０と、雑誌の読者が使用する読者端末機３０と、投稿者が使用する投稿者端末機４０と、店舗等が使用する店舗端末機５０と、を含む。読者端末機３０、投稿者端末機４０、店舗端末機５０は、それぞれサーバ装置２０とインターネット６０等の電気通信回線を介して通信可能となっている。それぞれの読者端末機３０、投稿者端末機４０、店舗端末機５０は、いずれも電気通信回線への接続手段は有線でも無線でもよい。
【００１６】  雑誌１０は、例えば、出版社や情報発信者等の雑誌発行者によって毎月１回等の定期的（又は不定期的）に印刷及び作成されて発行される。雑誌１０は、図２に示すように、新聞又は本のように冊子状に設けられた無料で配布されるフリーペーパからなり、その誌面には投稿者が投稿した写真１１や紹介文１２等の投稿記事が記載されている。本実施形態では、例えば、写真１１は投稿者自身の人物写真であり、紹介文１２は投稿者自身の人物を紹介したプロフィールからなる。なお、雑誌１０の紙面には、図示しないが広告主となる店舗等の広告も掲載されている。投稿者が自身で撮影した写真や自身で作成した紹介文等の素材を記事に利用することで、雑誌発行コストやシステム運営コストを低減できる。なお、写真１１や紹介文１２等を投稿する投稿者は、例えば、雑誌１０に広告を出す店舗に所属している従業員、構成員等である場合について説明する。また、広告主としての店舗は、本実施形態では、例えば、商店、飲食業、サービス業等の店舗の他に、学校、各種団体等も含んだ概念であり、物品販売やサービス等の事業を行う者を含む広い概念である。図２に示すように、雑誌１０には、それぞれの投稿記事に対応して二次元コード１３が記載されている。二次元コード１３は、サーバ装置２０に記録されたそれぞれの投稿記事に対応する投稿者データにアクセスするためのコードである。二次元コード１３は、例えば、投稿者が投稿した情報のうち公開される写真やプロフィール等の投稿者データを閲覧できるとともに投稿者へ投票するためＵＲＬアドレス等がコード化されたＱＲコード（登録商標）からなる。なお、雑誌１０は、無料配布のフリーペーパに限らず、有料で販売される雑誌でもよい。また、雑誌１０に掲載される投稿記事は投稿者等の人物紹介に限らず、例えば、商品紹介、事業紹介、施設紹介等その他任意の情報でもよい。
【００１７】  サーバ装置２０は、例えば、中央演算処理装置とメモリやハードディスク等の記憶装置と通信装置等を有し、予め記憶させたプログラムにしたがって動作してデータの処理や送受信等を行う周知のコンピュータ等からなる。サーバ装置２０は、例えば、雑誌発行者等により運用管理される。図３に示すように、サーバ装置２０は、例えば、通信部２１と、投稿者データ記憶部２２と、読者データ記憶部２３と、店舗データ記憶部２４と、投票処理部２５と、広告表示部２６と、ランキング処理部２７と、賞品授与部２８と、広告料金処理部２９と、を含む。サーバ装置２０は、通信部２１によりインターネット６０等の電気通信回線に接続されており、サーバ装置２０は、読者端末機３０、投稿者端末機４０、店舗端末機５０からアクセスされた際には各端末機３０、４０、５０から要求されたデータを表示させたり、端末機３０、４０、５０から送信されたデータを受信したり、或いはサーバ装置で処理したデータを端末機３０、４０、５０に送信する。なお、サーバ装置２０には、例えば、投稿者データを記録した際に、該投稿者データにアクセスするための二次元コードを自動的に生成するコード生成部等を備えていてもよい。
【００１８】  投稿者データ記憶部２２は、雑誌１０を作成する雑誌発行者又はサーバ装置２０に写真やプロフィール等の投稿記事の元データを投稿する投稿者、及びその元データを元に作成される投稿記事に関する投稿者データを記録する投稿者データ記録手段である。投稿者データ記憶部２２に記憶される投稿者データとしては、例えば、図４に示すように、投稿者名２２１、住所２２２、電話番号２２３、メールアドレス２２４、投稿者が投稿した自身の人物写真２２５、人物紹介プロフィール２２６、投稿者が所属する店舗名２２７等のデータをデータベース化して作成される。写真データは、例えば、雑誌に掲載される写真１１と同一の内容でもよいし、異なる写真でもよく、一枚又は複数枚でもよい。プロフィールは、例えば、自己ＰＲ、年齢、趣味、その他紹介文等任意のデータでもよく、雑誌に掲載される紹介文１２と同一の内容でもよいし、異なる内容でもよい。さらに、投稿者データ記憶部２２には、後述する読者端末機３０からの投票処理により得られる獲得投票数２２８、獲得投票数に基づきランキング処理部２７により処理されたランキングの順位２２９が投稿者名に対応して記録される。投稿者データ記憶部２２に記録された投稿者データのうち、投稿者名、写真、プロフィール等の一部のデータは読者端末機３０等からサーバ装置２０にアクセスされるとＷｅｂページ上で公開される。
【００１９】  読者データ記憶部２３は、雑誌の読者に関する読者データを記録する読者データ記録手段である。読者データ記憶部２３に記録される読者データとしては、例えば、図５に示すように、読者名２３１、住所２３２、電話番号２３３、メールアドレス２３４等のデータをデータベース化して作成される。さらに、読者データ記憶部２３には、後述するように読者端末機３０でサーバ装置２０にアクセスした際に投票処理を行った投稿者名２３５が読者名に対応して記録される。
【００２０】  店舗データ記憶部２４は、雑誌の広告主となる店舗とその店舗の広告に関する店舗データを記録する店舗データ記録手段である。店舗データ記憶部２４に記録される店舗データとしては、例えば、図６に示すように、店舗名２４１、住所２４２、電話番号２４３、メールアドレス２４４、電子広告２４５等のデータがデータベース化して作成される。さらに、店舗データ記憶部２４には、広告料金処理部２９により決定された広告料金用データ２４７が店舗名に対応して記録される。
【００２１】  投票処理部２５は、雑誌１０の二次元コード１３を読み取った読者端末機３０が投稿者データにアクセスした際に、該アクセスされた投稿者データに対応する投稿者への投票処理を行う投票処理手段である。投稿処理部２５は、その投票処理が行われた際にそれぞれの投稿者の投票数をカウントして投稿者データ記録部２２に記録する。さらに、投票処理部２５は、投票処理した読者端末機３０を使用する読者ごとに、該投票した投稿者名を読者データ記録部２３に記録する。本実施形態では、投票処理部２５は、例えば、読者端末機３０が投稿者データにアクセスした際に、読者端末機３０にその投稿者データを表示させるとともに、そのアクセスした投稿者に投票するか否かの確認画面を表示させて該読者端末機３０の入力部を介して投票操作したときに投票処理を行うようになっている。なお、投票処理部２５は、例えば、読者端末機３０が雑誌の二次元コードを読み取った投稿者データにアクセスした段階で自動的に投票処理するようにしてもよい。
【００２２】  広告表示部２６は、雑誌１０の二次元コード１３を読み取った読者端末機３０が投稿者データにアクセスした際に、そのアクセスされた投稿者データの投稿者が所属する店舗名等の識別データに基づいて該店舗の電子広告を読者端末機３０に表示させる広告表示手段である。本実施形態では、広告表示部２６は、読者端末機３０に投稿者データを表示させた後に、その投稿者の所属する店舗用のＷｅｂページに誘導して該店舗の電子広告を読者端末機３０に表示させる。
【００２３】  ランキング処理部２７は、投票処理部２５で投稿者ごとにカウントされた投票数による投稿者のランキングを作成するランキング処理手段である。ランキング処理部２７は、例えば、ひと月ごと等の所定の期間ごとに投稿者データ記憶部２２からそれぞれの投稿者の獲得投票数を読込み、獲得投票数が多い順に順位付けしてランキングを作成して記録し、そのランキングに対応した順位を投稿者データ記憶部２２に記録する。ランキング処理部２７は、読者端末機３０、投稿者端末機４０を含む任意の端末機からサーバ装置にアクセスされた際に、作成したランキングを自由に閲覧できるようになっている。なお、ランキング処理部２７で作成したランキングは次号の雑誌１０に掲載するようにしてもよい。
【００２４】  賞品授与部２８は、ランキング処理部２７により作成されたランキングに基づいて賞品を授与する投稿者及び読者を決定し、それらの決定した賞品授与用データを管理する賞品授与手段である。本実施形態では、賞品授与部２８は、投稿者データ記憶部２２に記録された投稿者のランキング順位を読込み、ランキングが上位の投稿者を所定人数抽出して賞品の授与を決定し、決定した投稿者を投稿者データ記憶部２２に追加記録する。さらに、賞品授与部２８は、読者データ記録部２３から投票した投稿者名をキーとしてランキングが上位の投稿者に投票した読者を抽出するとともに、その抽出した読者の中から抽選して賞品を授与する読者を所定人数決定し、決定した読者を読者データ記憶部２３に追加記録する。さらに、賞品授与部２８は、例えば、その賞品の授与を決定した投稿者又は読者のメールアドレスに電子メールを送信する。なお、賞品授与部２８は、賞品の授与を決定した投稿者及び読者のデータは、賞品授与用の別の記憶部に記憶させるようにしてもよい。また、賞品を授与する投稿者数は、例えば、ランキング１位の投稿者１人だけでも良いし、ランキングの１位から５位まで等、任意の複数人に授与するようにしても良い。また、賞品を送る読者は１人でもよいし、複数人でもよい。雑誌発行者は、賞品授与部２８で決定された投稿者及び読者のデータをもとに、その投稿者及び読者の住所に賞品を発送する。授与する賞品は、例えば、飲食品、電気製品、生活用品等の品物、金券、旅行等その他任意のものでもよく、投稿者や読者が興味が高いものにするとよい。
【００２５】  広告料金処理部２９は、店舗ごとに広告料金用データを処理する広告料金処理手段である。本実施形態では、広告料金処理部２９は、例えば、ひと月等の所定期間ごとに、それぞれの店舗に対応する投稿者のランキングに基づいて広告料金を決定する。広告料金処理部２９は、例えば、投稿者のランキングの順位で店舗の広告料金を所定割合で割引きし、その決定した広告料金用データを店舗データ記憶部２４に記録するとともに、決定した広告料金用データを店舗端末機５０に送信するようになっている。広告料金処理部２９は、例えば、ランキングが下位の投稿者が所属する店舗の料金を通常料金とし、ランキングが上位となる投稿者が所属する店舗の料金は段階的な割引率で料金を算出するようになっている。広告料金処理部２９による広告料金用データの算出処理は、例えば、予めサーバ装置２０に記録させておいたプログラムにより、ランキングに応じた料金テーブル又は計算式でデータ処理される。なお、広告料金用データは、例えば、店頭端末機５０がサーバ装置２０にアクセスしてＷｅｂページ上で広告料金用データを確認できるようにしてもよい。また、広告料金処理部２９により、決定した広告料金用データの料金を電子決済で自動的に処理できるようにしてもよい。なお、投稿者のランキングに替えて投票数に基づいて広告料金を算出するようにしてもよい。
【００２６】  読者端末機３０は、例えば、周知のカメラ付き携帯電話機やコンピュータとコードリーダ装置等を組み合わせた機器等の通信端末機からなり、雑誌１０に記載された二次元コード１３を読み取ってサーバ装置２０の投稿者データにアクセスし、その投稿者データのうち閲覧が許可されている内容を表示できるとともに、読者が選んだ投稿者に投票処理を行えるようになっている。具体的には、本実施形態では、読者端末機３０は、例えば、インターネット６０等の電気通信回線を介して通信可能な通信部３１と、サーバ装置２０にアクセスした際に投稿者データや店舗の電子広告等を表示する表示部３２と、二次元コードを撮像するカメラからなるコード撮影部３３と、撮影したコードを解析するコード解析部３４と、端末機３０の操作や各種入力等を行う入力部３５と、を有している。また、読者端末機３０は、サーバ装置２０から送信される電子メールを受信して表示できるようになっている。
【００２７】  投稿者端末機４０は、例えば、周知のカメラ付き携帯電話機やコンピュータ等の通信端末機からなる。投稿者端末機４０は、その端末機で投稿者が撮影した写真や作成した紹介文等のデータを投稿者データとしてサーバ装置２０に送信できるようになっている。なお、読者端末機４０は、他のカメラ装置で撮影した写真や他のコンピュータで作成した紹介文のデータを予め読者端末機４０に転送、記録させ、そのデータを投稿者データとすることとしてもよい。また、投稿者端末機４０は、サーバ装置２０から送信される電子メールを受信して表示できるようになっている。
【００２８】  店舗端末機５０は、例えば、周知のコンピュータ等の通信端末機からなる。店舗端末機５０は、例えば、予め記録しておいた電子広告をサーバ装置２０に送信できるようになっている。なお、店舗端末機５０から送られた電子広告を素材として上述の雑誌１０に広告を掲載するようにしてもよい。また、店舗端末機５０は、サーバ装置２０から送信される広告料金用データを受信して表示できるようになっている。
【００２９】  次に、図８のフローチャートを参照しつつ、本実施形態に係る雑誌利用システム１を使用した際の流れについて説明する。例えば、雑誌発行者は、予め雑誌を製作するにあたり、雑誌の製作費用の収入源となる広告主の店舗、及び投稿記事を投稿してもらう投稿者を募集する。広告主として申し込む店舗は、店舗端末機５０からサーバ装置２０に電子広告データを含む必要な店舗データ等を送信する（ステップＳ１２）。また、投稿者は、投稿者端末機４０を利用して写真やプロフィール等のデータをサーバ装置２０に送信する（ステップＳ１４）。なお、店舗端末機５０や投稿者端末機４０がサーバ装置２０にアクセスする際には、ＩＤやパスワード等により各々のデータを認証、管理するようにしておいてもよい。投稿者端末機４０や店舗端末機５０からデータを受信したサーバ装置２０では、それらのデータを投稿者データ記憶部２２、店舗データ記憶部２４にそれぞれ記録しておく（ステップＳ１６）。この際、各投稿者データに対応するアクセス用の二次元コード（ＱＲコード）が作成される。雑誌発行者は、例えば、サーバ装置２０に記録されている投稿者からの写真、プロフィール、店舗の広告、及びそれぞれの投稿者の投稿記事に対応して作成した二次元コード（ＱＲコード）を誌面に印刷して雑誌を作成する。作成された雑誌１０は、駅、店頭、街角等で配布されたり、直接住居に配達されたりして読者に配布される（ステップＳ１８）。雑誌１０を手に入れた読者は、雑誌を読んで各読者の好みに応じて投稿者を選び、読者端末機３０で当該の投稿記事の二次元コードを読み取って、サーバ装置２０上のその投稿者データにアクセスする（ステップＳ２０）。この際、新規の読者によるアクセスであれば、サーバ装置２０では新しく読者データを読者データ記憶部２３に記録させるために入力を求める。なお、読者端末機３０がサーバ装置２０にアクセスする際に、ＩＤとパスワードで認証するように構成してもよい。そして、サーバ装置２０では、アクセスされた投稿者データに対応して読者端末機３０に投稿者データを表示させる（ステップＳ２２）とともに、対象の投稿者への投票処理を行って投票数をカウントし（ステップＳ２４）、さらに、読者ごとに投票した投稿者名を読者データ記録部２３に記録する（ステップＳ２６）。次に、サーバ装置２０では、広告表示処理部２６により、アクセスされた投稿者データの投稿者が所属する店舗の電子広告を読者端末機３０に表示させて、読者に対する広告を行う（ステップＳ２８）。サーバ装置２０では、ランキング作成部２７により、ひと月ごとに各投稿者の獲得投票数に基づいてランキングを作成する（ステップＳ３０）。ランキング作成部２７により作成されたランキングの結果は、サーバ装置２０のＷｅｂページ上に記載され、インターネットを介して端末機３０、４０、５０からアクセスすれば自由に見られるように公表される（ステップＳ３２）。そして、サーバ装置２０では、作成されたランキングに基づいて賞品授与部２８により賞品を授与する投稿者を決定し、決定した投稿者の投稿者端末機に電子メールを送信する（ステップＳ３４）。そして、雑誌発行者は、サーバ装置２０の賞品授与部２８の結果に基づいて賞品���投稿者に送る（ステップＳ３６）。さらに、サーバ装置２０の賞品授与部２８は、投稿者のランキングの上位の投稿者に投票した読者を抽出し、その抽出した読者の中から抽選して賞品を授与する読者を決定し、決定された読者の読者端末機に電子メールを送信する（ステップＳ３８）。そして、雑誌発行者は、サーバ装置２０の賞品授与部２８の結果に基づいて賞品を読者に送る（ステップＳ４０）。また、サーバ装置２０では、広告料金処理部２９により、投稿者のランキングに基づいて店舗ごとの広告料金が決定され、その決定された広告料金に関する広告料金用データを店舗端末機５０に送信する（ステップＳ４２）。広告料金用データを受信した店舗では、このデータを基に広告料金を雑誌発行者に支払う。このようにして、例えば毎月雑誌を発行するごとに同様なシステム処理が行われる。このシステムにより、賞品や読者が参加しやすい構成として投稿者及び読者の関心を高めて、雑誌の投稿記事の増加による内容充実化や雑誌を読む読者数の増加を期待できる。同時に、雑誌に掲載した店舗の広告に加えてシステムで電子広告を読者端末機３０に表示することにより、読者に対する高い広告効率を期待できる。また、ランキングが上位の投稿者の店舗にとっては、広告料金が割引かれるので広告コストの低減も期待できる。
【００３０】  以上説明した本発明の雑誌利用システムは、上記した実施形態のみの構成に限定されるものではなく、特許請求の範囲に記載した本発明の本質を逸脱しない範囲において、任意の改変を行ってもよい。
【符号の説明】
【００３１】  １    雑誌利用システム
１０    雑誌
１１    写真
１２    紹介文
１３    二次元コード
２０    サーバ装置
２２    投稿者データ記憶部
２３    読者データ記憶部
２４    店舗データ記憶部
２５    投票処理部
２６    広告表示部
２７    ランキング処理部
２８    賞品授与部
２９    広告料金処理部
３０    読者端末機
４０    投稿者端末機
５０    店舗端末機
６０    インターネット
【図１】
2012146273.tif 000003
【図２】
2012146273.tif 000004
【図３】
2012146273.tif 000005
【図４】
2012146273.tif 000006
【図５】
2012146273.tif 000007
【図６】
2012146273.tif 000008
【図７】
2012146273.tif 000009
【図８】
2012146273.tif 000010